(57)【特許請求の範囲】
【請求項１】
連結部材を被連結部材の軸部に着脱自在に連結するフック装置において、
前記連結部材は、弾性を有する線条材を屈曲することにより形成されると共に、相互に交差するＸ方向とＹ方向に関し、Ｙ方向に離間して配置された一対の第１首部(2a)及び第２首部(2b)と、前記第１首部(2a)から第２首部(2b)に向けて延びる第１フック部(5a)と、前記第２首部(2b)から第１首部(2a)に向けて延びる第２フック部(5b)を備え、前記第１フック部(5a)及び第２フック部(5b)に前記被連結部材の軸部を挿通することにより連結するように構成されており、
前記第１フック部(5a)と第２フック部(5b)は、それぞれ第１首部(2a)及び第２首部(2b)から相互に離反するようにＸ方向に傾斜させられることにより、該第１フック部(5a)と第２フック部(5b)の間にＶ形の導入空間(10)を形成しており、
前記被連結部材の軸部をＹ方向に配置した状態で前記導入空間(10)に押し込むことにより、線条材の弾性変形を介して、第１フック部(5a)と第２フック部(5b)の間隔をＸ方向に広げて通過空間(12a,12b)を形成し、該通過空間を通過した被連結部材の軸部をＸ方向に配置することにより前記第１フック部(5a)及び第２フック部(5b)に挿通させ、線条材の弾性復元を介して、第１フック部(5a)と第２フック部(5b)を復帰させることにより前記通過空間(12a,12b)を閉じるように構成して成ることを特徴とするフック装置。
【請求項２】
前記第１首部(2a)及び第２首部(2b)は、Ｙ方向に離間して平行に延びることにより、前記フック部(5a,5b)に連通する連通空間(6)を形成しており、
前記被連結部材の軸部を前記導入空間(10)に押し込んだとき、該軸部が前記通過空間(12a,12b)を通過して前記連通空間(6)に進入させられるように構成して成ることを特徴とする請求項１に記載のフック装置。
【請求項３】
前記第１首部(2a)から延びる第１フック部(5a)は、先端部(11a)を前記第２首部(2b)に近接して臨ませられ、前記第２首部(2b)から延びる第２フック部(5b)は、先端部(11b)を前記第１首部(2a)に近接して臨ませられて成ることを特徴とする請求項１又は２に記載のフック装置。
【請求項４】
請求項１、２又は３に記載のフック装置を設けたハンガーであり、ハンガーを前記連結部材とし、吊持部材を前記被連結部材として、ハンガーに設けたフック部を吊持部材の軸部に着脱自在に連結することにより吊持するように構成され、
ハンガーは、弾性を有する線条材を屈曲することにより形成されると共に、相互に交差するＸ方向とＹ方向に関し、Ｙ方向に離間して配置された一対の第１首部(2a)及び第２首部(2b)と、前記第１首部(2a)から第２首部(2b)に向けて上向き円弧状に延びる第１フック部(5a)と、前記第２首部(2b)から第１首部(2a)に向けて上向き円弧状に延びる第２フック部(5b)を備え、前記第１フック部(5a)及び第２フック部(5b)に前記吊持部材の軸部を挿通することにより連結するように構成されており、
前記第１フック部(5a)と第２フック部(5b)は、それぞれ第１首部(2a)及び第２首部(2b)から上方に向けて相互に離反するようにＸ方向に傾斜させられることにより、該第１フック部(5a)と第２フック部(5b)の間にＶ形の導入空間(10)を形成しており、
前記吊持部材の軸部をＹ方向に配置した状態で前記導入空間(10)に押し込むことにより、線条材の弾性変形を介して、第１フック部(5a)と第２フック部(5b)の間隔をＸ方向に広げて通過空間(12a,12b)を形成し、該通過空間を通過した吊持部材の軸部をＸ方向に配置することにより前記第１フック部(5a)及び第２フック部(5b)に挿通させ、線条材の弾性復元を介して、第１フック部(5a)と第２フック部(5b)を復帰させることにより前記通過空間(12a,12b)を閉じるように構成して成ることを特徴とするハンガー。
【発明の詳細な説明】
【技術分野】
【０００１】
本発明は、連結部材を被連結部材の軸部に着脱自在に連結するフック装置及び該フック装置を設けたハンガーに関し、特に、ハンガーを竿やハンガーパイプ等の吊持部材に吊持した状態で脱落しないように構成したハンガーに関する。
【背景技術】
【０００２】
従来、Ｃ形のフックを備えた衣類用ハンガーが提供されているが、例えば、洗濯後の衣類等の物干し用として、竿に吊持させたとき、ハンガーが風に煽られると、フックが容易に竿から外れ、脱落してしまうという問題がある。
【０００３】
このため、脱落防止機構を備えた種々の衣類用ハンガーが提案されており、通常、脱落防止機構は、一対の対向配置された開閉自在な挟み部材を備え、該挟み部材を閉じさせるスプリングを設けている。
【０００４】
従って、使用に際しては、スプリングに抗して開いた挟み部材の間に竿を入れ、スプリングにより挟み部材を閉じさせることにより、ハンガーを竿に吊持すれば良く、これにより、挟み部材が左右から竿の全周を保持するので、ハンガーが風に煽られても、竿から脱落しないという利点がある。
【先行技術文献】
【特許文献】
【０００５】
【特許文献１】特開２０１０−１８７９２４号公報
【特許文献２】特開２００７−３２５６５４号公報
【発明の概要】
【発明が解決しようとする課題】
【０００６】
しかしながら、特許文献１及び特許文献２に示されるような脱落防止機構を備えたハンガーは、部品点数が多く、煩雑なアセンブリーを要するため、低コストによる量産が困難である。しかも、安価なプラスチックにより射出成形された対候性の低い部品が多用されているため、経年劣化が著しく、短期間で折損する等、耐用性の点においても問題がある。
【課題を解決するための手段】
【０００７】
本発明は、上記課題を解決するものであり、本発明に係るフック装置が手段として構成したところは、連結部材を被連結部材の軸部に着脱自在に連結するフック装置において、前記連結部材は、弾性を有する線条材を屈曲することにより形成されると共に、相互に交差するＸ方向とＹ方向に関し、Ｙ方向に離間して配置された一対の第１首部及び第２首部と、前記第１首部から第２首部に向けて延びる第１フック部と、前記第２首部から第１首部に向けて延びる第２フック部を備え、前記第１フック部及び第２フック部に前記被連結部材の軸部を挿通することにより連結するように構成されており、前記第１フック部と第２フック部は、それぞれ第１首部及び第２首部から相互に離反するようにＸ方向に傾斜させられることにより、該第１フック部と第２フック部の間にＶ形の導入空間を形成しており、前記被連結部材の軸部をＹ方向に配置した状態で前記導入空間に押し込むことにより、線条材の弾性変形を介して、第１フック部と第２フック部の間隔をＸ方向に広げて通過空間を形成し、該通過空間を通過した被連結部材の軸部をＸ方向に配置することにより前記第１フック部及び第２フック部に挿通させ、線条材の弾性復元を介して、第１フック部と第２フック部を復帰させることにより前記通過空間を閉じるように構成した点にある。
【０００８】
本発明の好ましい実施形態において、前記第１首部及び第２首部は、Ｙ方向に離間して平行に延びることにより、前記フック部に連通する連通空間を形成しており、前記被連結部材の軸部を前記導入空間に押し込んだとき、該軸部が前記通過空間を通過して前記連通空間に進入させられるように構成している。
【０００９】
前記第１首部から延びる第１フック部は、先端部を前記第２首部に近接して臨ませられ、前記第２首部から延びる第２フック部は、先端部を前記第１首部に近接して臨ませられていることが好ましい。
【００１０】
また、本発明に係るハンガーが手段として構成したところは、前記フック装置を設けたハンガーであり、ハンガーを前記連結部材とし、吊持部材を前記被連結部材として、ハンガーに設けたフック部を吊持部材の軸部に着脱自在に連結することにより吊持するように構成され、ハンガーは、弾性を有する線条材を屈曲することにより形成されると共に、相互に交差するＸ方向とＹ方向に関し、Ｙ方向に離間して配置された一対の第１首部及び第２首部と、前記第１首部から第２首部に向けて上向き円弧状に延びる第１フック部と、前記第２首部から第１首部に向けて上向き円弧状に延びる第２フック部を備え、前記第１フック部及び第２フック部に前記吊持部材の軸部を挿通することにより連結するように構成されており、前記第１フック部と第２フック部は、それぞれ第１首部及び第２首部から上方に向けて相互に離反するようにＸ方向に傾斜させられることにより、該第１フック部と第２フック部の間にＶ形の導入空間を形成しており、前記吊持部材の軸部をＹ方向に配置した状態で前記導入空間に押し込むことにより、線条材の弾性変形を介して、第１フック部と第２フック部の間隔をＸ方向に広げて通過空間を形成し、該通過空間を通過した吊持部材の軸部をＸ方向に配置することにより前記第１フック部及び第２フック部に挿通させ、線条材の弾性復元を介して、第１フック部と第２フック部を復帰させることにより前記通過空間を閉じるように構成した点にある。
【発明の効果】
【００１１】
本発明のフック装置によれば、連結部材１Ｂを被連結部材ＰＢに連結させるための作業は、被連結部材ＰＢをフック装置におけるＶ形の導入空間１０に沿わせて押し込むと、フック部５ａ、５ｂが間隔を広げることにより通過空間１２ａ、１２ｂを形成するので、該通過空間を通過させた被連結部材ＰＢと連結部材１Ｂの姿勢を相対的に９０度回動させ、被連結部材ＰＢをＸ方向に向かう姿勢として、第１フック部５ａ及び第２フック部５ｂの内側に進入させることができるので、極めて簡単なワンタッチの操作で行うことが可能である。
【００１２】
この際、第１首部２ａと第２首部２ｂの間に連通空間６を形成しておけば、通過空間１２ａ、１２ｂを通過した被連結部材ＰＢを該連通空間６の内部において、前述のように９０度回動させることが容易となる。
【００１３】
そして、被連結部材ＰＢをフック部５ａ、５ｂに挿通させた状態で、フック装置は、線材の弾性復元を介して、該フック部５ａ、５ｂを復帰させることにより、前記通過空間１２ａ、１２ｂを閉じ、被連結部材ＰＢを該フック部５ａ、５ｂの内側に拘束するので、離脱不能状態で連結することができる。
【００１４】
特に、連結部材としてハンガー１Ａを構成する場合、ハンガー１Ａが強風等に煽られることにより揺動するときでも、該ハンガー１Ａが被連結部材としての吊持部材ＰＡから脱落することはない。
【００１５】
この際、シャツ等の衣類を掛けた複数のハンガー１Ａを列設状態で吊持部材ＰＡに吊持することにより乾燥させるような場合、隣り合うハンガー１Ａ、１Ａは、Ｖ形に傾斜して起立させられたフック部５ａ、５ｂを介して、相互に適切な間隔Ｓをあけて吊持部材ＰＡに吊持されるので、隣り合うシャツ等の衣類の間に通気空間ないし通風空間を保持し、良好な乾燥を可能にする。
【図面の簡単な説明】
【００１６】
【図１】本発明の第１実施形態に係るフック装置を備えたハンガーを示す斜視図である。
【図２】フック装置の詳細を示しており、（Ａ）は斜視図、（Ｂ）は側面図である。
【図３】フック装置に吊持部材を押し込んだ状態を示す斜視図である。
【図４】吊持部材を押し込んだ状態を拡大して示す斜視図である。
【図５】吊持部材を連通空間に進入させた状態を示す斜視図である。
【図６】吊持部材を連通空間に進入させた状態を拡大して示す斜視図である。
【図７】吊持部材に吊持されたハンガーの使用状態を示す斜視図である。
【図８】複数のハンガーを吊持部材に吊持した状態を示す側面図である。
【図９】ハンガーを吊持部材から取外すときの作用を示す斜視図である。
【図１０】１実施形態に係るハンガーの意匠を示しており、（Ａ）は平面図、（Ｂ）は正面図、（Ｃ）は底面図、（Ｄ）は右側面図である。
【図１１】本発明の別の実施形態に係るハンガーを示す斜視図である。
【図１２】本発明のフック装置をハンガーと異なる物品に適用した実施形態を示し、（Ａ）はフック装置を設けた連結部材の第２実施形態を示す斜視図、（Ｂ）はフック装置を設けた連結装置の第３実施形態を示す斜視図である。
【発明を実施するための形態】
【００１７】
以下図面に基づいて本発明の好ましい実施形態を詳述する。
【００１８】
（第１実施形態に係るフック装置を備えたハンガー）
図１ないし図１１は、本発明の第１実施形態に係るフック装置を備えた連結部材としてのハンガー１Ａを示し、該ハンガー１Ａを被連結部材としての物干し竿やハンガーパイプ等の吊持部材ＰＡに吊持させる構成を示している。
【００１９】
図１及び図２に示すように、ハンガー１Ａは、弾性を有する線条材を屈曲することにより形成されており、物干し竿やハンガーパイプ等の吊持部材ＰＡの軸線に沿うＸ方向と、該Ｘ方向に直交して交差するＹ方向に関して、対向配置された第１首部２ａ及び第２首部２ｂと、両首部２ａ、２ｂの下方に連設されると共に内側に閉鎖空間３を形成する胴部４と、前記第１首部２ａから上向きの円弧を描いて第２首部２ｂに向けてＹ１方向に延びる第１フック部５ａと、前記第２首部２ｂから上向きの円弧を描いて第１首部２ａに向けてＹ２方向に延びる第２フック部５ｂを備え、前記第１フック部５ａ及び第２フック部５ｂにＸ方向に向かう吊持部材ＰＡを挿通することにより、該吊持部材ＰＡにハンガー１Ａを吊持するように構成している。
【００２０】
従って、本発明のフック装置は、弾性を有する線条材を屈曲することにより形成した前記一対の首部２ａ、２ｂと該首部から延設された一対のフック部５ａ、５ｂにより構成されている点に特徴がある。
【００２１】
図示実施形態の場合、ハンガー１Ａは、１本の線材を折曲することにより形成されているが、必要に応じて、複数本の線材を結合することにより形成しても良い。尚、線材の素材は、鋼に限定されるものではなく、折曲容易な軽金属を使用しても良く、必要十分な弾性変形と弾発復元力を備えた線径の線材を選択すれば良い。また、素材は、金属製の線材に限らず、例えば、プラスチック（ガラス強化プラスチックやカーボン強化プラスチックを含む）の押出成形等により形成された樹脂製の線条材を用いても良く、このような線条材を折曲成形することにより、フック装置及びハンガー１Ａを形成することもできる。
【００２２】
図例において、前記第１首部２ａ及び第２首部２ｂは、Ｙ方向に離間して上下方向に向けて平行配置されることにより、図２（Ａ）に示すように、フック部５ａ、５ｂの内側空間に連通する連通空間６を形成しており、該連通空間６は、吊持部材ＰＡの直径よりも大寸法とされた幅Ｗを有するように形成されている。
【００２３】
ハンガー１Ａが衣類用ハンガーを構成する場合、前記胴部４は、第１首部２ａ及び第２首部２ｂのそれぞれから折曲されることによりＹ方向に延びる第１肩部７ａ及び第２肩部７ｂと、該肩部の先端において半円状に折返して折曲された第１端部８ａ及び第２端部８ｂと、両端部８ａ、８ｂを水平方向に連結するアーム部９により構成されており、該胴部４により囲まれた閉鎖空間３を形成する。従って、「閉鎖空間」とは、前記連通空間６に連通するように上向きに開口しているが、その他の空間の周囲が線材により囲まれていることを意味する。
【００２４】
図２（Ｂ）に示すように、前記第１フック部５ａと第２フック部５ｂは、吊持部材ＰＡの軸部を抱持することが可能な内径を有する円弧状に形成されると共に、それぞれ第１首部２ａ及び第２首部２ｂから上方に向けて相互に次第に離反するようにＸ方向に傾斜させられている。つまり、第１フック部５ａは、第１首部２ａからＸ１方向に向けて傾斜させられ、第２フック部５ｂは、第２首部２ｂからＸ２方向に傾斜させられている。これにより、第１フック部５ａと第２フック部５ｂの間には、Ｖ形の導入空間１０が形成されている。
【００２５】
好ましくは、図２（Ａ）に示すように、第１首部２ａから延びる第１フック部５ａは、先端部１１ａを第２首部２ｂの上端に近接して臨ませられており、第２首部２ｂから延びる第２フック部５ｂは、先端１１ｂを第１首部２ａの上端に近接して臨ませられている。
【００２６】
（フック装置の作用）
上記ハンガー１Ａを吊持部材ＰＡに吊持するためには、図３及び図４に示すように、吊持部材ＰＡとハンガー１Ａの胴部４をＹ方向に平行配置した状態で、相互に相対的に上下に移動させることにより、吊持部材ＰＡをハンガー１Ａの上方から前記導入空間１０に押し込めば良い。これにより、ハンガー１Ａは、胴部４を構成する線材の弾性変形を介して、第１フック部５ａと第２フック部５ｂの間隔をＸ方向に広げることにより、図４に示すように、通過空間１２ａ、１２ｂを形成する。即ち、第１フック部５ａの先端部１１ａと第２首部２ｂの間に空間１２ａが形成され、第２フック部５ｂの先端部１１ｂと第１首部２ａの間に空間１２ｂが形成される。
【００２７】
これにより、吊持部材ＰＡは、前記通過空間１２ａ、１２ｂを通過することにより、第１首部２ａと第２首部２ｂの間の連通空間６に進入する。そこで、連通空間６の内部で、吊持部材ＰＡとハンガー１Ａを相対的に回動させることにより、図５及び図６に示すように、吊持部材ＰＡがＸ方向に向き、ハンガー１Ａの胴部４がＹ方向に向くように姿勢を変更させた後、ハンガー１を下降させれば、図７に示すように、吊持部材ＰＡが第１フック部５ａ及び第２フック部５ｂの内側に挿通され、ハンガー１Ａを吊持する。
【００２８】
このように、ハンガー１Ａを吊持部材ＰＡに吊持させるための作業は、吊持部材ＰＡを導入空間１０に押し込み、吊持部材ＰＡとハンガー１Ａの姿勢を相対的に９０度回動させ、吊持部材ＰＡを第１フック部５ａ及び第２フック部５ｂの内側に進入させるという簡単なワンタッチの操作で行うことが可能である。この際、押し込まれた吊持部材ＰＡは、連通空間６の内部で姿勢を回動することが可能であるから、軽い力で作業を行うことができる。
【００２９】
前述のように、吊持部材ＰＡが連通空間６に進入したとき、ハンガー１Ａは、胴部４を構成する線材の弾性復元を介して、第１フック部５ａと第２フック部５ｂを復帰させることにより、図６に示すように、前記通過空間１２ａ、１２ｂを閉じる。即ち、第１フック部５ａの先端部１１ａが第２首部２ｂに近接して臨ませられ、第２フック部５ｂの先端部１１ｂが第１首部２ａに近接して臨ませられるので、吊持部材ＰＡは、フック部５ａ、５ｂの内側に拘束される。因みに、必ずしも図示のように通過空間１２ａ、１２ｂを完全に閉じる必要はなく、第１フック部５ａの先端部１１ａと第２首部２ｂの間隔と、第２フック部５ｂの先端部１１ｂと第１首部２ａの間隔を狭めるものであれば良く、「閉じる」の意味は、広義に解すべきことを諒解されたい。
【００３０】
これにより、ハンガー１Ａは、強風等に煽られることにより揺動する場合でも、吊持部材ＰＡから脱落することはない。この際、第１首部２ａ及び第２首部２ｂの上下方向の長さを十分に確保するように形成しておけば、ハンガー１Ａが大きく揺動するときでも、吊持部材ＰＡがフック部５ａ、５ｂから閉鎖空間３に向けて移動することを好適に防止することができる。因みに、万一、吊持部材ＰＡが閉鎖空間３に向けて移動した場合でも、該空間３は閉鎖されているので、ハンガー１Ａが吊持部材Ｐから脱落することはない。
【００３１】
吊持部材ＰＡに吊持した状態で、ハンガー１Ａの使用方法は任意であるが、図７に示すように、物干し場等においては、洗濯後の衣類をハンガー１Ａに掛けて乾燥させる他、布団やシーツ等の物品１３を物干し竿等の吊持部材２に載せて日干しする際にも、ハンガー１Ａの上に被せれば、物品１３が二つ折りされて重なることはなく、展開状態で干すことができる。
【００３２】
また、図７に鎖線で示すように、不使用状態のハンガー１Ａは、胴部４の閉鎖空間３に向けて吊持部材ＰＡを移動させ、該胴部４の端部８ａ（８ｂ）を吊持部材ＰＡに吊持させれば、吊持状態のまま保管することもできる。
【００３３】
例えば、シャツ等の衣類を掛けた複数のハンガー１Ａを列設状態で吊持部材ＰＡに吊持することにより乾燥させるような場合、図８に示すように、隣り合うハンガー１Ａ、１Ａは、Ｖ形に傾斜して起立させられたフック部５ａ、５ｂを介して、相互に適切な間隔Ｓをあけて吊持部材ＰＡに吊持される。従って、隣り合うシャツ等の衣類は、密接させられることはなく、前記間隔Ｓによる通気空間ないし通風空間を保持されるので、良好な乾燥が可能になる。
【００３４】
ところで、ハンガー１Ａを吊持部材ＰＡから取外す場合は、図９に示すように、吊持部材ＰＡをフック部５ａ、５ｂの下方の連通空間６に移動させ、図示矢印Ｒで示すように、吊持部材ＰＡとハンガー１Ａを相対的に回動させれば良い。これにより、第１首部２ａと第２首部２ｂが相互にＸ方向に離反させられ、第１フック部５ａと第２フック部５ｂの間隔を広げることにより、図４に示す通過空間１２ａ、１２ｂを再び形成するので、該通過空間を通過させることにより吊持部材ＰＡをフック部５ａ、５ｂの外側に移動させることが可能であり、このような作業も簡単なワンタッチの操作で行うことが可能である。
【００３５】
（ハンガーの別の実施形態）
本発明のフック装置を設けたハンガーは、上述したような衣類用ハンガーの他、種々の用途のために種々の物品を吊下げ可能とするハンガーに広く適用することができる。図１１は、その１例としての多目的ハンガー１Ａを示している。
【００３６】
この場合、多目的ハンガー１Ａは、首部２ａ、２ｂから線材を下向き平行に延長すると共に、延長された端部を円弧状の吊下部９ａで連結することにより、閉鎖空間３を形成した胴部４を構成している。その他の構成は、上述した実施形態と同様である。
【００３７】
これにより、多目的ハンガー１Ａは、フック部５ａ、５ｂを物干し竿等の吊持部材ＰＡに吊持した状態で、前記吊下部９ａに別の物干し竿等の吊持部材Ｐを挿通させ保持することが可能である。従って、例えば、上側の吊持部材ＰＡが建物の高所に固定されているような場合、背が低いユーザのために、低所に別の吊持部材Ｐを設けることが可能になる。
【００３８】
更に、必要に応じて、前記吊下部９ａに別のフック部材１４を吊下げることにより、該フック部材１４を介して、植木鉢やプランター等の鑑賞物品等を吊持することも可能である。
【００３９】
（フック装置を設けた連結部材の別の実施形態）
本発明のフック装置は、上述のようにハンガーに好適に実施することができるが、ハンガーに限らず、種々の用途のために種々の部材等を着脱自在に連結するための連結部材１Ｂとして広く適用することが可能である。
【００４０】
図１２（Ａ）は、フック装置を設けた連結部材の第２実施形態を示しており、縦向きに配置された被連結部材ＰＢの軸部に対して、連結部材１Ｂは、横方向から着脱自在に連結可能とするようにフック装置を設けている。連結部材１Ｂに設けたフック装置の構成は、ハンガーに関して上述した構成と同様であるから、詳述を省略する。第２実施形態の場合、上下方向に配置された被連結部材ＰＢに対して、横方向から連結部材１Ｂのフック部５ａ、５ｂにより形成されたＶ形の導入空間１０を横向き姿勢で臨ませ、連結部材１Ｂを矢印Ｆで示すように前進させると共に矢印Ｍで示すように回動させれば、被連結部材ＰＢの軸部がフック部５ａ、５ｂに挿通され、両部材を簡単に連結することができる。
【００４１】
図１２（Ｂ）は、フック装置を設けた連結部材の第３実施形態を示しており、横向きに配置された被連結部材ＰＢの軸部に対して、連結部材１Ｂは、上方から下降させることにより着脱自在に連結可能とするようにフック装置を設けている。連結部材１Ｂに設けられたフック装置の構成は、ハンガーに関して上述した構成と同様であるから、詳述を省略する。第３実施形態の場合、水平方向に配置された被連結部材ＰＢに対して、上方から連結部材１Ｂのフック部５ａ、５ｂにより形成されたＶ形の導入空間１０を下向き姿勢で臨ませ、連結部材１Ｂを矢印Ｆで示すように下降させると共に矢印Ｍで示すように回動させれば、被連結部材ＰＢの軸部がフック部５ａ、５ｂに挿通され、両部材を簡単に連結することができる。
【符号の説明】
【００４２】
ＰＡ  吊持部材
ＰＢ  被連結部材
１Ａ  連結部材としてのハンガー
１Ｂ  連結部材
２ａ、２ｂ  首部
３  閉鎖空間
４  胴部
５ａ、５ｂ  フック部
６  連通空間
７ａ、７ｂ  肩部
８ａ、８ｂ  端部
９  アーム部
１０  導入空間
１１ａ、１１ｂ  フック部の先端部
１２ａ、１２ｂ  通過空間
１３  物品
【要約】      （修正有）【課題】連結部材を被連結部材の軸部に着脱自在に連結するフック装置及び該フック装置を設けたハンガーを提供する。【解決手段】連結部材に設けたフック装置は、弾性を有する線条材を屈曲することにより形成されており、一対の第１首部2aと第２首部2bのうち、第１首部から第２首部に向けて延びる第１フック部5aと、第２首部2bから第１首部に向けて延びる第２フック部5bを備え、両フック部は、それぞれの首部から相互に離反するように傾斜することにより、両フック部の間にＶ形の導入空間を形成しており、被連結部材を導入空間に押し込み、弾性変形により両フック部の間隔を広げることにより通過空間を形成し、前記通過空間を通過した被連結部材を両フック部に挿通させると共に、両フック部を弾性復帰させることにより前記通過空間を閉じるように構成されている。【選択図】図１【図１】
0005779732.tif 000002
【図２】
0005779732.tif 000003
【図３】
0005779732.tif 000004
【図４】
0005779732.tif 000005
【図５】
0005779732.tif 000006
【図６】
0005779732.tif 000007
【図７】
0005779732.tif 000008
【図８】
0005779732.tif 000009
【図９】
0005779732.tif 000010
【図１０】
0005779732.tif 000011
【図１１】
0005779732.tif 000012
【図１２】
0005779732.tif 000013